(57)【要約】【課題】  飲料を飲むときに飲み口を塞ぐパッキンが上向きにならず、蓋閉鎖時に飲料が漏れることがなく、飲料を飲むときには飲みやすい飲料容器用蓋の提供。【解決手段】  蓋本体１と、スライド蓋２と、ロック部材３とを備え、蓋本体１は、容器本体４の上部開口に着脱自在に取付けるものであり、上面に筒状の飲み口５が突出して設けてあり、飲み口５は上端面５ａが前側から後側に向かって下り勾配で傾斜しており、スライド蓋２は、前後方向にスライド自在に蓋本体１に取付けてあり、飲み口５を塞ぐパッキン６を有し、前側にスライドしたときにパッキン６で飲み口５を塞ぎ、後側にスライドしたときに飲み口５が開放するようにしてあり、ロック部材３は、飲み口５より後側でスライド蓋２に水平軸７で回動自在に取付けてあり、先端部に蓋本体１への係止部８を有しており、前側に回動して係止部８を蓋本体１に設けた被係止部９に係止すると、パッキン６で飲み口５を塞いだ状態でスライド蓋２を動かないようにロックする。【選択図】      図１
2008179406.tif 000002
【特許請求の範囲】
【請求項１】
蓋本体（１）と、スライド蓋（２）と、ロック部材（３）とを備え、蓋本体（１）は、容器本体（４）の上部開口に着脱自在に取付けるものであり、上面に筒状の飲み口（５）が突出して設けてあり、飲み口（５）は上端面（５ａ）が前側から後側に向かって下り勾配で傾斜しており、スライド蓋（２）は、前後方向にスライド自在に蓋本体（１）に取付けてあり、飲み口（５）を塞ぐパッキン（６）を有し、前側にスライドしたときにパッキン（６）で飲み口（５）を塞ぎ、後側にスライドしたときに飲み口（５）が開放するようにしてあり、ロック部材（３）は、飲み口（５）より後側でスライド蓋（２）に水平軸（７）で回動自在に取付けてあり、先端部に蓋本体（１）への係止部（８）を有しており、前側に回動して係止部（８）を蓋本体（１）に設けた被係止部（９）に係止すると、パッキン（６）で飲み口（５）を塞いだ状態でスライド蓋（２）を動かないようにロックすることを特徴とする飲料容器用蓋。
【請求項２】
スライド蓋（２）は、前側から後側に向かって下り勾配で斜めにスライドすることを特徴とする請求項１記載の飲料容器用蓋。
【請求項３】
スライド蓋（２）は、飲み口上端面（５ａ）の傾斜角度よりも緩い傾斜角度で斜めにスライドすることを特徴とする請求項２記載の飲料容器用蓋。
【請求項４】
ロック部材（３）は、スライド蓋（２）をロックした状態で飲み口（５）を隠蔽するように形成してあることを特徴とする請求項１，２又は３記載の飲料容器用蓋。
【請求項５】
ロック部材（３）は、スライド蓋（２）をロックした状態でパッキン（６）を飲み口上端面（５ａ）に向けて押し付け、係止部（８）が蓋本体の被係止部（９）から外れるとパッキン（６）の復元力により後側に回動することを特徴とする請求項１，２，３又は４記載の飲料容器用蓋。
【請求項６】
蓋本体（１）とスライド蓋（２）のいずれか一方に、スライド蓋（２）を全閉したときに圧縮変形した状態で他方に当接し、ロック部材（３）によるスライド蓋（２）のロックが解除されたときにはスライド蓋（２）を開方向へ付勢する弾発体（１０）が設けてあることを特徴とする請求項１，２，３，４又は５記載の飲料容器用蓋。
【請求項７】
スライド蓋（２）に、全開時に蓋本体（１）に係止してスライド蓋（２）をその位置に保持可能な弾性材料で形成した係止部（１１）が設けてあることを特徴とする請求項１，２，３，４，５又は６記載の飲料容器用蓋。
【請求項８】
スライド蓋（２）に、ロック部材（３）が後側に限界まで回動したときにロック部材（３）と係止し、ロック部材（３）をその姿勢に保持可能なロック部材係止部（１２）が設けてあることを特徴とする請求項１，２，３，４，５，６又は７記載の飲料容器用蓋。
【請求項９】
蓋本体（１）は、被係止部（９）が前側から押し込み可能な押し込み部（１３）に設けてあり、押し込み部（１３）を押し込むと被係止部（９）からロック部材（３）の係止部（８）が外れるようにしてあるとともに、押し込み部（１３）を押し込み可能な状態と押し込み不能な状態とに切り替えることのできる安全ロック装置（１４）が設けてあることを特徴とする請求項１，２，３，４，５，６，７又は８記載の飲料容器用蓋。
【発明の詳細な説明】
【技術分野】
【０００１】
本発明は、携帯用魔法瓶や水筒、スポーツドリンク容器等の各種飲料容器の蓋に関する。
【背景技術】
【０００２】
従来の携帯用魔法瓶等の蓋として、特許文献１に開示されているように、容器本体の上部開口に栓体がネジで着脱自在に取付けてあり、栓体の上面に円筒状の飲み口を突出して設けてあり、栓体の上面を覆う蓋体が上下方向に回動して開閉するようにヒンジで栓体に連結してあり、蓋体を閉じてロック手段によりロックすると、蓋体に取付けたパッキンが飲み口上端面に密着して飲み口が塞がれ、飲料を飲むときにはロック手段を解除して蓋体をヒンジで回動して開き、飲み口に直接口を付けて飲むようにしたものがある。  
【特許文献１】特開２００３−２１２２５８号公報
【発明の開示】
【発明が解決しようとする課題】
【０００３】
上記特許文献１記載のものは、飲料を飲むときに蓋体が裏返しになり、飲み口を塞ぐパッキンが上向きとなるため、飲料を飲んでいる間にパッキンにゴミが付着したり髪の毛が触れたりしやすく、使用者に不衛生な感じを与えるおそれがあった。本発明は、以上に述べた実情に鑑み、飲料を飲むときに飲み口を塞ぐパッキンが上向きにならず、蓋閉鎖時に飲料が漏れることがなく、飲料を飲むときには飲みやすい飲料容器用蓋の提供を目的とする。
【課題を解決するための手段】
【０００４】
上記の課題を達成するために請求項１記載の発明による飲料容器用蓋は、蓋本体と、スライド蓋と、ロック部材とを備え、蓋本体は、容器本体の上部開口に着脱自在に取付けるものであり、上面に筒状の飲み口が突出して設けてあり、飲み口は上端面が前側から後側に向かって下り勾配で傾斜しており、スライド蓋は、前後方向にスライド自在に蓋本体に取付けてあり、飲み口を塞ぐパッキンを有し、前側にスライドしたときにパッキンで飲み口を塞ぎ、後側にスライドしたときに飲み口が開放するようにしてあり、ロック部材は、飲み口より後側でスライド蓋に水平軸で回動自在に取付けてあり、先端部に蓋本体への係止部を有しており、前側に回動して係止部を蓋本体に設けた被係止部に係止すると、パッキンで飲み口を塞いだ状態でスライド蓋を動かないようにロックすることを特徴とする。
【０００５】
請求項２記載の発明による飲料容器用蓋は、請求項１記載の発明の構成に加え、スライド蓋は、前側から後側に向かって下り勾配で斜めにスライドすることを特徴とする。
【０００６】
請求項３記載の発明による飲料容器用蓋は、請求項２記載の発明の構成に加え、スライド蓋は、飲み口上端面の傾斜角度よりも緩い傾斜角度で斜めにスライドすることを特徴とする。
【０００７】
請求項４記載の発明による飲料容器用蓋は、請求項１〜３記載の発明の構成に加え、ロック部材は、スライド蓋をロックした状態で飲み口を隠蔽するように形成してあることを特徴とする。
【０００８】
請求項５記載の発明による飲料容器用蓋は、請求項１〜４記載の発明の構成に加え、ロック部材は、スライド蓋をロックした状態でパッキンを飲み口上端面に向けて押し付け、係止部が蓋本体の被係止部から外れるとパッキンの復元力により後側に回動することを特徴とする。
【０００９】
請求項６記載の発明による飲料容器用蓋は、請求項１〜５記載の発明の構成に加え、蓋本体とスライド蓋のいずれか一方に、スライド蓋を全閉したときに圧縮変形した状態で他方に当接し、ロック部材によるスライド蓋のロックが解除されたときにはスライド蓋を開方向へ付勢する弾発体が設けてあることを特徴とする。弾発体は、非金属製の材料で形成してあることが好ましい。
【００１０】
請求項７記載の発明による飲料容器用蓋は、請求項１〜６記載の発明の構成に加え、スライド蓋に、全開時に蓋本体に係止してスライド蓋をその位置に保持可能な弾性材料で形成した係止部が設けてあることを特徴とする。前記係止部は、請求項６に記載の弾発体と一体的に設けることができる。
【００１１】
請求項８記載の発明による飲料容器用蓋は、請求項１〜７記載の発明の構成に加え、スライド蓋に、ロック部材が後側に限界まで回動したときにロック部材と係止し、ロック部材をその姿勢に保持可能なロック部材係止部が設けてあることを特徴とする。
【００１２】
請求項９記載の発明による飲料容器用蓋は、請求項１〜８記載の発明の構成に加え、蓋本体は、被係止部が前側から押し込み可能な押し込み部に設けてあり、押し込み部を押し込むと被係止部からロック部材の係止部が外れるようにしてあるとともに、押し込み部を押し込み可能な状態と押し込み不能な状態とに切り替えることのできる安全ロック装置が設けてあることを特徴とする。
【発明の効果】
【００１３】
請求項１記載の発明による飲料容器用蓋は、飲み口を塞ぐパッキンを取付けたスライド蓋を前後方向にスライドすることで飲み口を開閉するようにしたので、飲料を飲むためにスライド蓋を開けたときにパッキンが下向きのままで、パッキンにゴミや髪の毛が付着することがなく、衛生的である。また蓋閉鎖時には、ロック部材を前側に回動して係止部を蓋本体の被係止部に係止することで、スライド蓋が前側に引き付けられて動かないようにロックされ、傾斜した飲み口上端面にパッキンが押付けられて飲み口が塞がれるため、飲料が漏れることがない。
【００１４】
請求項２記載の発明による飲料容器用蓋は、スライド蓋を前側から後側に向かって下り勾配で斜めにスライドするようにしたので、飲料を飲むためにスライド蓋を後側にスライドして開けると、スライド蓋が斜め下方に移動するため、飲み口に口を付けて飲料を飲むときにスライド蓋やロック部材が邪魔にならない。
【００１５】
さらに請求項３記載の発明による飲料容器用蓋は、スライド蓋を飲み口上端面の傾斜角度よりも緩い傾斜角度で斜めにスライドするようにしたことで、スライド蓋のスライド時にパッキンが飲み口上端面と強くこすれるのを防ぎ、スライド蓋のスライドがスムーズに行えるとともに、パッキンの損耗を防止できる。
【００１６】
請求項４記載の発明による飲料容器用蓋は、ロック部材が、スライド蓋をロックした状態で飲み口を隠蔽するように形成してあるので、蓋を閉じたときに飲み口にゴミが付着したりすることがなく、より一層衛生的となる。
【００１７】
請求項５記載の発明による飲料容器用蓋は、ロック部材でスライド蓋をロックする前の状態で飲料が漏れる状態であったとしても、ロック部材をロック状態にすることでパッキンがロック部材により飲み口上端面に押し付けられるから飲料が漏れない。本発明の構成により、スライド蓋のスライド時のパッキンと飲み口上端面との摩擦を抑え、スライド蓋のスライドがより一層スムーズに行える。さらに、係止部の係止を解除するとロック部材がパッキンの復元力により後側に回動するため、蓋を開けるときにロック部材をいちいち手で回動させる手間がいらない。
【００１８】
さらに請求項６記載の発明によれば、ロック部材によるスライド蓋のロックが解除されたときに、スライド蓋が弾発体の付勢力により開くので、飲料を飲むときにより一層簡便に且つ速やかに蓋を開放できる。
【００１９】
請求項７記載の発明による飲料容器用蓋は、スライド蓋に、全開時に蓋本体に係止してスライド蓋をその位置に保持可能な弾性材料で形成した係止部が設けてあることで、飲料を飲むために飲料容器を傾けたときに、スライド蓋が自然に下がってくるのを防止できる。
【００２０】
請求項８記載の発明による飲料容器用蓋は、スライド蓋に、ロック部材が後側に限界まで回動したときにロック部材と係止し、ロック部材をその姿勢に保持可能なロック部材係止部が設けてあるので、飲料を飲むために飲料容器を傾けたときに、ロック部材が自然に前側に回動するのを防止できる。
【００２１】
請求項９記載の発明による飲料容器用蓋は、安全ロック装置により押し込み部を押し込み不能な状態にしておくことで、飲料容器を携帯している間に押し込み部に何かが当ったりしてロック部材が不用意に解除されるのを阻止できる。
【発明を実施するための最良の形態】
【００２２】
以下、本発明の実施の形態を図面に基づいて説明する。図１から図５は、本発明を携帯用の魔法瓶の蓋に適用した実施形態を示しており、図１は蓋を開けた状態の縦断面図、図２は蓋を閉じた状態の縦断面図、図３は蓋を開けた状態と蓋を閉じた状態の斜視図、図４は分解斜視図、図５は蓋を開けて飲料を飲むときの状態を示す側面図である。この蓋は、ステンレス製で有底筒状に形成された容器本体４の上部開口に着脱自在に取付けられる蓋本体１と、蓋本体１に前後方向にスライド可能に取付けられ、蓋本体１の飲み口５を開閉するスライド蓋２と、スライド蓋２に水平軸７で回動自在に取付けられ、スライド蓋２の閉鎖時にスライド蓋２を動かないようにロックするロック部材３を有している。各部品は、合成樹脂で形成してある。
【００２３】
蓋本体１は、蓋体１ａと、蓋体１ａの上面に取付けたカバー１ｂとで構成される。蓋体１ａは、円筒状の側壁１５と、上面壁１６を有し、上面壁１６から円筒状の飲み口５を突出して設けてある。側壁１５の内周面には、図１と図２に示すように、ネジ条１７が設けてあり、ネジ条１７を容器本体４の上部開口部の周囲に形成したネジ溝に螺合することにより、容器本体４に着脱自在に取付けられる。上面壁１６の下面にはリング状のパッキン１８が取付けてあり、パッキン１８に容器本体４の開口縁部が密着している。飲み口５の上端面は、後側が低くなるように水平面に対して２５°傾斜している。飲み口５の左右両側には、図４に示すように、スライド蓋２のガイド部１９，１９が設けてあり、ガイド部１９，１９は飲み口上端面５ａの傾斜よりもゆるい傾斜角度（１５°）で、後側に向かって下り勾配で傾斜している。なお本飲料容器は、図５に示すように、飲み口５に直接口を付けて飲料を飲むことを想定したものであり、飲料を飲むために手で持ったときに体に近い方の側を前側、その反対側を後側としている。
【００２４】
カバー１ｂは、図４に示すように、平面視略コ字形に形成され、スライド蓋２をガイド部１９，１９に取付けた後、前側からガイド部１９，１９を挟むようにして差し込むと、係止爪２０が蓋体１ａに設けた被係止部２１に係止して取付けられるようになっている。カバー１ｂの前側部分には、下方から上方に向かって２本のスリット２２，２２を設けて、前側から押し込み可能な押し込み部１３が設けてあり、押し込み部１３に、後述するロック部材３の係止部８が係止する被係止部９が四角い孔状に形成してある。カバー１ｂは、蓋本体１の一部である。
【００２５】
蓋体１ａの前側部分には、図４に示すように、凹部２３が設けてあり、該凹部２３に左右方向にスライドするスライド駒１４が取付けてある。スライド駒１４は、ロック部材３によるロックが不用意に解除されるのを防ぐ安全ロック装置として機能するものであり、その前面の中央部に凸部１４ａが設けてあるとともに、凸部１４ａの両側に凹部１４ｂ，１４ｂが設けてあり、凸部１４ａがカバー１ｂの押し込み部１３の真後ろに来るようにスライド駒１４を左右方向の中間位置にすると、押し込み部１３が押し込み不能となり、スライド駒１４を中間位置から右側又は左側にスライドし、押し込み部１３の真後ろに凹部１４ｂ，１４ｂが位置するようにすると、押し込み部１３が押し込み可能となる。
【００２６】
スライド蓋２は、飲み口５を囲むような形で形成され、前側にはスライド時に飲み口５を逃がす開口２４が設けてある。スライド蓋２は、図４に示すように、左右の側壁の内面側に形成した突起２５，２５を蓋体１ａのガイド部１９，１９に係合し、ガイド部１９，１９に沿って前後方向にスライド自在に取付けられる。スライド蓋２の上面壁２６は、飲み口上端面５ａに沿うように傾斜しており、上面壁２６にパッキン取付孔２７を設け、パッキン取付孔２７に飲み口５を塞ぐパッキン６を嵌合保持してある。パッキン６は、シリコンゴムで形成してあり、スライド時にパッキン６が飲み口上端面５ａとこすれないように、図１の二点差線２８で示すように、パッキン６の下面の高さを飲み口上端面５ａの下端と略同じにしてある。パッキン６の上面には突起２９がスライド蓋２上面から突出するように設けてあり、スライド蓋２を前側にスライドしてパッキン６で飲み口５を塞いだ後、ロック部材３によりスライド蓋２をロックすると、図２に示すように、パッキン６の突起２９にロック部材３の下面が当ってパッキン６が下方に押し出されるように変形し、パッキン６が飲み口上端面５ａに押し付けられる。これにより飲料の漏れを確実に防止できる。
【００２７】
さらにスライド蓋２は、図１に示すように、後壁３４の内側面に円筒状の突起３１が設けられ、該突起３１に差し込むようにしてシリコンゴムで形成したキャップ状の弾発体１０が取付けてある。弾発体１０は、図２に示すように、スライド蓋２を前側にスライドしてロック部材３によりロックすると、圧縮変形した状態で飲み口５に当接しており、ロック部材３によるロックが解除されたときには、弾発体１０の復元力によりスライド蓋２が後側にスライドして飲み口５が解放する。弾発体１０の変形と復元が確実になされるようにするため、弾発体１０は中空状に形成してあり、弾発体１０を取付けている突起３１には、弾発体１０の中空部に空気を出入りさせるためのスリット３２が設けてある。また弾発体１０は、先端部に膨らみ部１１が設けてあり、スライド蓋２が後退限までスライドしたときには、図１に示すように、弾発体１０の膨らみ部１１が蓋体１ａに形成した突出壁３３に係止し、これにより図５に示すように、飲料を飲むために飲料容器を傾けたときに、スライド蓋２が自重によりひとりでに下方にスライドするのを防いでいる。
さらにスライド蓋２の後壁３４の外側面には、図１に示すように、略三角形の突起１２が設けてあり、後側に回動したロック部材３が該突起１２に係止し、図５に示すように飲料を飲むために飲料容器を傾けたときに、ロック部材３がひとりでに前側に回動しないようになっている。
【００２８】
ロック部材３は、飲み口の上部を囲む蓋状部３５と、蓋状部３５の下縁に垂下して設けた係止片部３６とを有している。ロック部材３は、図４に示すように、左右の側壁の内側面に水平軸７，７が突設してあり、該水平軸７，７をスライド蓋２上面のパッキン６後側に形成した孔３７，３７に係合することで、スライド蓋２に回動自在に取付けられる。係止片部３６には、突起状の係止部８が設けてある。
この飲料容器用蓋は、図２に示すように、スライド蓋２を前側にスライドして飲み口５を閉鎖した上で、ロック部材３を前側に回動して係止部８をカバー１ｂの被係止部９に係止することで、スライド蓋２を前側に引き付けた状態でロックできる。さらに、スライド駒１４を押し込み部１３が押し込み不能となる位置にスライドさせておくことで、本飲料容器をカバンに入れて携帯しているときなどに、押し込み部１３に何かが当って押されても、ロック部材３が解除されない。
【００２９】
飲料を飲むために蓋を開けるときには、スライド駒１４を押し込み部１３が押し込み可能となる位置にスライドさせた後、押し込み部１３を前側から押し込めばロック部材３の係止部８が被係止部９から外れ、ロック部材３がパッキン６の復元力により後側に回動してロックが解除される。そうしてロック部材３によるロックが解除されると、スライド蓋２は弾発体１０の復元力により後側にスライドし、飲み口５が開放する。すなわち、押し込み部１３を押し込むだけで蓋を開けることができる。スライド蓋２は、斜め下方にスライドし、全開時には図１の二点鎖線３８に示すように、ロック部材３の先端が飲み口５の先端と略同じ高さになるまで下降する。そのため、図５に示すように、飲み口５に口を付けて飲料を飲むときでも、ロック部材３やスライド蓋２が邪魔にならない。このとき、ロック部材３はスライド蓋２の突起１２に係止しているため、ひとりでに前側に回動することがなく、スライド蓋２は弾発体１０の膨らみ部１１が蓋本体１の突出壁３３に係止しているため、ひとりでに下がってくることがない。また、飲み口５を開放したときでもパッキン６が下向きのままで、パッキン６の飲み口塞ぎ面にゴミや髪の毛等が付着することがなく、衛生的である。さらに、飲み口上端面５ａが前側から後側に向かって下り勾配で傾斜していることで、飲料が残り少なくなったときでも、飲料容器を逆さになるくらいにまで大きく傾ける必要がなく、首を大きく反らせない楽な姿勢で飲料を飲むことができる。
【００３０】
スライド蓋２は、図６に示すように、前後方向に水平にスライドするように設けることもできる。ただしこの場合は、飲み口５先端よりスライド蓋２やロック部材３が上方に飛び出るため、飲み口５に直接口を付けて飲むことを想定した場合には、先の実施形態のようにスライド蓋２が斜め下方にスライドするようにした方が有利である。
【図面の簡単な説明】
【００３１】
【図１】本発明の飲料容器用蓋の蓋を開けた状態の縦断面図である。
【図２】本発明の飲料容器用蓋の蓋を閉じた状態の縦断面図である。
【図３】（ａ）は蓋を開けた状態を示す斜視図であり、（ｂ）は蓋を閉じた状態を示す斜視図である。
【図４】本発明の飲料容器用蓋の分解斜視図である。
【図５】蓋を開けて飲料を飲んでいるときの状態を示す側面図である。
【図６】本発明の飲料容器用蓋の他の実施形態を示す縦断面図であって、（ａ）は蓋を開いた状態、（ｂ）は蓋を閉じた状態を示している。
【符号の説明】
【００３２】
１  蓋本体
２  スライド蓋
３  ロック部材
４  容器本体
５  飲み口
５ａ  飲み口上端面
６  パッキン
７  水平軸
８  係止部
９  被係止部
１０  弾発体
１１  弾発体の膨らみ部（係止部）
１２  ロック部材係止部
１３  押し込み部
１４  スライド駒（安全ロック装置）
【図１】
2008179406.tif 000003
【図２】
2008179406.tif 000004
【図３】
2008179406.tif 000005
【図４】
2008179406.tif 000006
【図５】
2008179406.tif 000007
【図６】
2008179406.tif 000008